【手続補正書】
【提出日】平成16年5月21日(2004.5.21)
【手続補正１】
【補正対象書類名】特許請求の範囲
【補正対象項目名】全文
【補正方法】変更
【補正の内容】
【特許請求の範囲】
【請求項１】
集積回路内の配線レイアウトを構成する方法であって、
ソースと送信先との間の信号経路を分析するステップであって、前記信号経路が、複数の分岐と、前記信号経路の少なくとも一部の両側に前記信号経路から間隔をあけて配置される実質的に平行なグランド線とを有する、ステップと、
少なくとも１本の分岐について、前記分岐に沿った信号伝播に関する選択された時間遅延を生み出すように、前記信号経路と前記グランド線との間のｒｌｃ関係を計算するステップと、
を含む方法。
【請求項２】
請求項１に記載の方法であって、計算ステップが、前記ｒｌｃ関係を生み出す前記信号経路または前記グランド線の物理パラメータを変更するステップを含む、方法。
【請求項３】
請求項１に記載の方法であって、計算ステップが、前記ｒｌｃ関係を生み出す前記信号線と前記グランド線との間のワイヤ離間距離を計算するステップを含む、方法。
【請求項４】
請求項１に記載の方法であって、前記実質的に平行なグランド線が、前記信号経路から不等な間隔をあけて配置される、方法。
【請求項５】
請求項１に記載の方法であって、前記ｒｌｃ関係が、分岐が伝送線路挙動を呈することを可能にする、方法。
【請求項６】
請求項１に記載の方法であって、上流分岐に接続された１つまたは複数の下流分岐について、計算ステップが、前記１つまたは複数の下流分岐のインピーダンスを前記上流分岐のインピーダンスと一致させるステップを含む、方法。
【請求項７】
請求項１に記載の方法であって、
【数１】
2005510053.tif 000001
で実質的に表される５０％時間遅延を計算するステップを、
さらに含む方法。
【請求項８】
請求項１に記載の方法であって、前記配線レイアウトが、クロックツリーである、方法。
【請求項９】
請求項１に記載の方法によって構成された配線レイアウトを有する回路。
【請求項１０】
コンピュータシステムに請求項１に記載の方法を実行させるためのコンピュータ実行可能命令を格納するコンピュータ可読媒体。
【請求項１１】
請求項１に記載の方法に従ってサーバコンピュータによって構成された配線レイアウトを表示または使用するクライアントコンピュータであって、前記クライアントおよびサーバコンピュータが、ネットワークを介して通信を行う、クライアントコンピュータ。
【請求項１２】
集積回路内の配線レイアウトを構成する方法であって、
前記配線レイアウトの少なくとも一部を分析するステップであって、前記一部が、信号線と実質的に平行なグランド線とを有し、また、複数の物理パラメータによって定義される、ステップと、
前記配線レイアウトの部分が伝送線路挙動を呈するように、前記物理パラメータの１つを調整するステップと、
を含む方法。
【請求項１３】
請求項１２に記載の方法であって、前記調整される物理パラメータが、前記グランド線の幅である、方法。
【請求項１４】
請求項１２に記載の方法であって、前記調整される物理パラメータが、前記信号線の幅である、方法。
【請求項１５】
請求項１２に記載の方法であって、前記調整される物理パラメータが、前記信号線と前記グランド線との間のワイヤ離間距離である、方法。
【請求項１６】
請求項１２に記載の方法であって、前記調整される物理パラメータが、前記グランド線の金属層の厚さである、方法。
【請求項１７】
請求項１２に記載の方法であって、前記調整される物理パラメータが、前記信号線の金属層の厚さである、方法。
【請求項１８】
請求項１２に記載の方法であって、前記調整される物理パラメータが、前記信号線の長さである、方法。
【請求項１９】
請求項１２に記載の方法であって、前記配線レイアウトが、クロックツリーである、記載の方法。
【請求項２０】
請求項１２に記載の方法によって構成された配線レイアウトを有する回路。
【請求項２１】
コンピュータシステムに請求項１２に記載の方法を実行させるためのコンピュータ実行可能命令を格納するコンピュータ可読媒体。
【請求項２２】
請求項１２に記載の方法に従ってサーバコンピュータによって構成された配線レイアウトを表示または使用するクライアントコンピュータであって、前記クライアントおよびサーバコンピュータが、ネットワークを介して通信を行う、クライアントコンピュータ。
【請求項２３】
集積回路内の配線レイアウトを構成するための方法であって、
信号線および実質的に平行なグランド線を有する前記配線レイアウトの少なくとも一部を分析するステップと、
駆動装置によって前記配線レイアウトを駆動するステップと、
前記配線レイアウトが伝送線路挙動を呈するように、前記駆動装置のインピーダンスを調整するステップと、
を含む方法。
【請求項２４】
集積回路内の配線レイアウトを構成する方法であって、
ソースと送信先との間の信号経路を分析するステップであって、前記信号経路が、前記信号経路の少なくとも一部の両側に前記信号経路から間隔をあけて配置された実質的に平行なグランド線を備える複数の分岐を有する、ステップと、
少なくとも１本の分岐について、前記分岐に沿った信号伝播の時間遅延を制御するように、前記信号経路と前記実質的に平行なグランド線との間のワイヤ離間距離を調整するステップと、
を含む方法。
【請求項２５】
請求項２４に記載の方法であって、各分岐の前記ワイヤ離間距離が、前記信号経路上の信号伝播遅延を最小化する前記信号経路と前記グランド線との間のｒｌｃ関係を生み出す、方法。
【請求項２６】
請求項２４に記載の方法であって、各分岐の前記ワイヤ離間距離が、前記配線レイアウトが伝送線路挙動を呈するように選択される、方法。
【請求項２７】
請求項２４に記載の方法であって、調整ステップが、
選択された分岐の抵抗を決めるステップと、
第１の関数において、前記選択された分岐のキャパシタンスを前記ワイヤ離間距離の関数として表すステップと、
第２の関数において、前記選択された分岐のインダクタンスを前記ワイヤ離間距離の関数として表すステップと、
前記第１および第２の関数を用いて１組の最適ワイヤ離間距離を計算するステップであって、前記最適ワイヤ離間距離が、前記選択された分岐に沿った信号伝播の所望の時間遅延を達成するような前記信号経路と前記グランド線との間のｒｌｃ関係を生み出す、ステップと、
を含む、方法。
【請求項２８】
請求項２７に記載の方法であって、調整ステップがさらに、前記１組の最適ワイヤ離間距離から選択されたワイヤ離間距離を用いて、前記選択された分岐を構成するステップを含む、方法。
【請求項２９】
請求項２４に記載の方法であって、調整ステップが、
【数２】
2005510053.tif 000002
かつＺ０≦Ｒｔｒを満たす前記選択された分岐の前記ワイヤ離間距離についての１組の値を決めるステップを含み、ここで、
【数３】
2005510053.tif 000003
、ｒは、前記選択された分岐の抵抗、Ｌは、前記選択された分岐の長さ、Ｒｔｒは、信号供給源の抵抗、ｌは、前記選択された分岐のインダクタンス、ｃは、前記選択された分岐のキャパシタンスである、方法。
【請求項３０】
請求項２４に記載の方法であって、
【数４】
2005510053.tif 000004
で表される５０％時間遅延を計算するステップを、
さらに含む方法。
【請求項３１】
請求項２４に記載の方法であって、前記配線レイアウトが、クロックツリーである、方法。
【請求項３２】
請求項２４に記載の方法によって構成された配線レイアウトを有する回路。
【請求項３３】
コンピュータシステムに請求項２４に記載の方法を実行させるためのコンピュータ実行可能命令を格納するコンピュータ可読媒体。
【請求項３４】
請求項２４に記載の方法に従ってサーバコンピュータによって構成された配線レイアウトを表示または使用するクライアントコンピュータであって、前記クライアントおよびサーバコンピュータが、ネットワークを介して通信を行う、クライアントコンピュータ。
【請求項３５】
インダクタンスを決定するための方法であって、
信号線および近傍グランド線を選択するステップと、
前記信号線または前記グランド線のより幅の広い方を、前記信号線または前記グランド線のより幅の狭い方の幅と実質的に等しい幅のセグメントに分割するステップであって、この分割が、残りの部分を生み出す、ステップと、
前記信号線または前記グランド線のより幅の狭い方と前記セグメントとの間の相互インダクタンスを計算するステップと、
前記残りの部分を前記信号線または前記グランド線のより幅の狭い方に指定するステップと、
前記分割ステップ、計算ステップ、指定ステップを再帰的に繰り返すステップと、
を含む方法。
【請求項３６】
請求項３５に記載の方法であって、インダクタンスへの前記残りの部分の寄与が無視できる場合に、前記再帰的繰返しステップが打ち切られる、方法。
【請求項３７】
請求項３５に記載の方法であって、前記再帰的繰返しステップが、再帰の深さ４まで実行される、方法。
【請求項３８】
請求項３５に記載の方法であって、前記計算ステップが、前記信号線と前記セグメントの少なくとも１つの部分との間の幾何平均距離を計算するステップを含む、方法。
【請求項３９】
複数の分岐を有する配線レイアウトであって、前記配線レイアウトの１つの分岐が、請求項３５に記載の方法によって計算されるインダクタンスを有する、配線レイアウト。
【請求項４０】
コンピュータシステムに請求項３５に記載の方法を実行させるためのコンピュータ実行可能命令を格納するコンピュータ可読媒体。
【請求項４１】
配線レイアウトを表示または使用するクライアントコンピュータであって、前記配線レイアウトの分岐が、請求項３５に記載の方法によって計算されるインダクタンスを有し、前記クライアントコンピュータとサーバコンピュータが、ネットワークを介して通信を行う、クライアントコンピュータ。
【請求項４２】
集積回路内の配線レイアウトを構成するための方法であって、
（ａ）２本以上の下流分岐に直接接続された前記配線レイアウトの１つの上流分岐を提供するステップであって、前記分岐の各々が、信号線および実質的に平行なグランド線を有する、ステップと、
（ｂ）前記上流分岐のインピーダンスを決定するステップと、
（ｃ）前記下流分岐のインピーダンスを決定するステップと、
（ｄ）前記下流分岐の少なくとも１つの物理パラメータを調整することによって、前記下流分岐と前記上流分岐とのインピーダンスマッチングを行うステップと、
を含む方法。
【請求項４３】
請求項４２に記載の方法であって、
（ｅ）前記下流分岐の前記調整された物理パラメータの値が最大値よりも小さいかどうか判定するステップと、
（ｆ）前記下流分岐の前記調整された物理パラメータの値が前記最大値よりも小さいと判定された場合、前記下流分岐を前記上流分岐として指定し、（ｂ）から（ｄ）までを繰り返すステップと、
をさらに含む方法。
【請求項４４】
請求項４３に記載の方法であって、
（ｇ）前記下流分岐の前記調整された物理パラメータの値が前記最大値よりも大きいと判定された場合、リピータを挿入するステップを、
さらに含む方法。
【請求項４５】
請求項４２に記載の方法であって、前記調整された物理パラメータが、前記信号線と前記グランド線との間のワイヤ離間距離である、方法。
【請求項４６】
請求項４５に記載の方法であって、前記下流分岐の前記ワイヤ離間距離が、前記上流分岐の前記ワイヤ離間距離より長い、方法。
【請求項４７】
請求項４２に記載の方法であって、前記上流分岐が、前記信号線上の信号伝播が選択された時間遅延を有するようなｒｌｃ関係を有する、方法。
【請求項４８】
請求項４７に記載の方法であって、前記ｒｌｃ関係が、伝送線路挙動を可能にする、方法。
【請求項４９】
請求項４２に記載の方法であって、前記上流分岐が、駆動装置に結合される、方法。
【請求項５０】
請求項４２に記載の方法であって、前記配線レイアウトが、クロックツリーである、方法。
【請求項５１】
請求項４２に記載の方法によって構成される配線レイアウトを有する回路。
【請求項５２】
コンピュータシステムに請求項４２に記載の方法を実行させるためのコンピュータ実行可能命令を格納するコンピュータ可読媒体。
【請求項５３】
請求項４２に記載の方法に従ってサーバコンピュータによって構成された配線レイアウトを表示または使用するクライアントコンピュータであって、前記クライアントおよびサーバコンピュータが、ネットワークを介して通信を行う、クライアントコンピュータ。
【請求項５４】
集積回路の配線レイアウトであって、該レイアウトは、
信号を伝播するための信号線と、
前記信号線と実質的に平行かつ前記信号線から実質的に等距離に配置された２本のグランド線と、
を含み、
前記信号線およびグランド線が、前記信号線の時間遅延を制御するｒｌｃ関係を生み出すように構成される、レイアウト。
【請求項５５】
請求項５４に記載のレイアウトであって、前記信号線および前記２本のグランド線が、第１の分岐を形成し、前記ｒｌｃ関係が、第１のインピーダンスを生み出す第１のｒｌｃ関係であり、前記回路は、
１本または複数本の第２の分岐であって、前記第２の分岐の各々が、前記信号およびグランド経路の延長を含み、前記グランド経路が、前記信号経路と実質的に平行かつ前記信号経路から等距離に配置される、第２の分岐を、
さらに有し、
前記１本または複数本の第２の分岐が、実質的に前記第１のインピーダンスに等しい前記第２の分岐の合成インピーダンスを生み出す第２のｒｌｃ関係を有する、レイアウト。
【請求項５６】
請求項５４に記載のレイアウトであって、前記ｒｌｃ関係が、前記グランド線と前記信号線との間のワイヤ離間距離を調整することによって生み出される、レイアウト。
【請求項５７】
請求項５４に記載のレイアウトであって、前記ｒｌｃ関係が、前記配線レイアウトの前記分岐が伝送線路挙動を呈することを可能にする、レイアウト。
【請求項５８】
請求項５４に記載のレイアウトであって、前記配線レイアウトが、クロックツリーである、レイアウト。